(57)【要約】【課題】高解像度の画像が得られる輝度信号を求める。【解決手段】輝度信号処理回路として、デジタル化された映像信号に対して前処理を行って出力する前処理部と、前記前処理部の出力を、それぞれが画像の各ラインの信号である複数のライン信号に分離して出力するライン信号出力部と、前記複数のライン信号から特性値を検出し、前記特性値に応じた係数を求める特性値検出部と、前記複数のライン信号に色キャリアを除去するためのフィルタ処理を行ってフィルタ処理後の信号を求め、前記フィルタ処理後の信号と前記複数のライン信号のいずれかとを、前記求められた係数に応じた割合で加算し、出力する色キャリア除去フィルタと、前記色キャリア除去フィルタの出力に輪郭強調補正を行って出力する輪郭強調部とを備える。【選択図】図４
2008124882.tif 000002
【特許請求の範囲】
【請求項１】
デジタル化された映像信号に対して前処理を行って出力する前処理部と、
前記前処理部の出力を、それぞれが画像の各ラインの信号である複数のライン信号に分離して出力するライン信号出力部と、
前記複数のライン信号から特性値を検出し、前記特性値に応じた係数を求める特性値検出部と、
前記複数のライン信号に色キャリアを除去するためのフィルタ処理を行ってフィルタ処理後の信号を求め、前記フィルタ処理後の信号と前記複数のライン信号のいずれかとを、前記求められた係数に応じた割合で加算し、出力する色キャリア除去フィルタと、
前記色キャリア除去フィルタの出力に輪郭強調補正を行って出力する輪郭強調部とを備える
ことを特徴とする輝度信号処理回路。
【請求項２】
請求項１に記載の輝度信号処理回路において、
前記特性値検出部は、
前記複数のライン信号から色レベルを前記特性値として検出するものである
ことを特徴とする輝度信号処理回路。
【請求項３】
請求項１に記載の輝度信号処理回路において、
前記特性値検出部は、
前記複数のライン信号から垂直方向の高域レベルを検出する輝度信号垂直高域レベル検出部と、
前記複数のライン信号から水平方向の高域レベルを検出する輝度信号水平高域レベル検出部とを有し、
前記検出された垂直方向及び水平方向の高域レベルに応じた係数を求めるものである
ことを特徴とする輝度信号処理回路。
【請求項４】
請求項１に記載の輝度信号処理回路において、
前記色キャリア除去フィルタは、
前記複数のライン信号に垂直方向のフィルタ処理を行う垂直フィルタと、
前記垂直フィルタによる処理後の信号に、前記特性値検出部で求められた係数に応じた第１のゲイン係数を乗算して第１の乗算結果を求める第１の乗算器と、
前記複数のライン信号のうちの１つに、前記特性値検出部で求められた係数に応じた第２のゲイン係数を乗算して第２の乗算結果を求める第２の乗算器と、
前記第１及び第２の乗算結果の和を求める加算器とを有する
ことを特徴とする輝度信号処理回路。
【請求項５】
請求項４に記載の輝度信号処理回路において、
前記第１のゲイン係数と前記第２のゲイン係数との和は、１である
ことを特徴とする輝度信号処理回路。
【請求項６】
請求項４に記載の輝度信号処理回路において、
前記色キャリア除去フィルタは、
前記第１のゲイン係数を画素毎に求めるものである
ことを特徴とする輝度信号処理回路。
【請求項７】
請求項４に記載の輝度信号処理回路において、
前記色キャリア除去フィルタは、
前記第１のゲイン係数を複数の画素毎に求めるものである
ことを特徴とする輝度信号処理回路。
【請求項８】
請求項１に記載の輝度信号処理回路において、
前記色キャリア除去フィルタは、
ダイナミックレンジが前記フィルタ処理後の信号と同じになるように、前記第２のゲイン係数が乗算されるライン信号の直流成分を調整する直流成分調整器を有する
ことを特徴とする輝度信号処理回路。
【請求項９】
請求項１に記載の輝度信号処理回路において、
前記特性値検出部は、
前記複数のライン信号から色レベルを検出する色レベル検出部と、
前記複数のライン信号から垂直方向の高域レベルを検出する輝度信号垂直高域レベル検出部と、
前記複数のライン信号から水平方向の高域レベルを検出する輝度信号水平高域レベル検出部とを有し、
前記検出された色レベル、並びに垂直方向及び水平方向の高域レベルに応じた係数を求めるものである
ことを特徴とする輝度信号処理回路。
【請求項１０】
請求項９に記載の輝度信号処理回路において、
前記色キャリア除去フィルタは、
前記複数のライン信号に色キャリアを除去するための垂直方向の処理を行う垂直処理部と、
前記垂直処理部による処理の結果に対して、色キャリアを除去するための水平方向の処理を行う水平処理部とを備える
ことを特徴とする輝度信号処理回路。
【請求項１１】
請求項１０に記載の輝度信号処理回路において、
前記垂直処理部は、
前記複数のライン信号に垂直方向のフィルタ処理を行う広帯域垂直フィルタと、
前記複数のライン信号に垂直方向のフィルタ処理を高域を制限して行う高域制限垂直フィルタと、
前記広帯域垂直フィルタによる処理後の信号に、前記特性値検出部で求められた係数に応じた第１のゲイン係数を乗算して第１の乗算結果を求める第１の乗算器と、
前記高域制限垂直フィルタによる処理後の信号に、前記特性値検出部で求められた係数に応じた第２のゲイン係数を乗算して第２の乗算結果を求める第２の乗算器と、
前記第１及び第２の乗算結果の和を求める第１の加算器と、
前記第１の加算器で求められた和に、前記特性値検出部で求められた係数に応じた第３のゲイン係数を乗算して第３の乗算結果を求める第３の乗算器と、
前記複数のライン信号のうちの１つに、前記特性値検出部で求められた係数に応じた第４のゲイン係数を乗算して第４の乗算結果を求める第４の乗算器と、
前記第３及び第４の乗算結果の和を求める第２の加算器とを有する
ことを特徴とする輝度信号処理回路。
【請求項１２】
請求項１１に記載の輝度信号処理回路において、
前記第１のゲイン係数と前記第２のゲイン係数との和は、１である
ことを特徴とする輝度信号処理回路。
【請求項１３】
請求項１０に記載の輝度信号処理回路において、
前記水平処理部は、
前記垂直処理部による処理の結果に対して、水平方向のフィルタ処理を行う広帯域水平フィルタと、
前記垂直処理部による処理の結果に対して、水平方向のフィルタ処理を高域を制限して行う高域制限水平フィルタと、
前記広帯域水平フィルタによる処理後の信号に、前記特性値検出部で求められた係数に応じた第１のゲイン係数を乗算して第１の乗算結果を求める第１の乗算器と、
前記高域制限水平フィルタによる処理後の信号に、前記特性値検出部で求められた係数に応じた第２のゲイン係数を乗算して第２の乗算結果を求める第２の乗算器と、
前記第１及び第２の乗算結果の和を求める第１の加算器と、
前記第１の加算器で求められた和に、前記特性値検出部で求められた係数に応じた第３のゲイン係数を乗算して第３の乗算結果を求める第３の乗算器と、
前記垂直処理部による処理の結果に対して、前記特性値検出部で求められた係数に応じた第４のゲイン係数を乗算して第４の乗算結果を求める第４の乗算器と、
前記第３及び第４の乗算結果の和を求める第２の加算器とを有する
ことを特徴とする輝度信号処理回路。
【請求項１４】
輝度信号処理回路を備え、デジタル化された映像信号から色キャリアを除去するデジタル信号処理集積回路であって、
前記輝度信号処理回路は、
デジタル化された映像信号に対して前処理を行って出力する前処理部と、
前記前処理部の出力を、それぞれが画像の各ラインの信号である複数のライン信号に分離して出力するライン信号出力部と、
前記複数のライン信号から特性値を検出し、前記特性値に応じた係数を求める特性値検出部と、
前記複数のライン信号に色キャリアを除去するためのフィルタ処理を行ってフィルタ処理後の信号を求め、前記フィルタ処理後の信号と前記複数のライン信号のいずれかとを、前記求められた係数に応じた割合で加算し、出力する色キャリア除去フィルタと、
前記色キャリア除去フィルタの出力に輪郭強調補正を行って出力する輪郭強調部とを有する
ことを特徴とするデジタル信号処理集積回路。
【請求項１５】
入射光を映像信号に変換するイメージセンサーと、
前記映像信号をデジタル化し、出力するＡ／Ｄ変換器と、
前記デジタル化された映像信号から色キャリアを除去するデジタル信号処理集積回路とを備え、
前記デジタル信号処理集積回路は、
輝度信号処理回路を備え、
前記輝度信号処理回路は、
デジタル化された映像信号に対して前処理を行って出力する前処理部と、
前記前処理部の出力を、それぞれが画像の各ラインの信号である複数のライン信号に分離して出力するライン信号出力部と、
前記複数のライン信号から特性値を検出し、前記特性値に応じた係数を求める特性値検出部と、
前記複数のライン信号に色キャリアを除去するためのフィルタ処理を行ってフィルタ処理後の信号を求め、前記フィルタ処理後の信号と前記複数のライン信号のいずれかとを、前記求められた係数に応じた割合で加算し、出力する色キャリア除去フィルタと、
前記色キャリア除去フィルタの出力に輪郭強調補正を行って出力する輪郭強調部とを有する
ことを特徴とするデジタルカメラ。
【発明の詳細な説明】
【技術分野】
【０００１】
本発明は、イメージセンサーから出力される映像信号に対する処理に関し、特に、デジタルカメラのための映像信号処理に関する。
【背景技術】
【０００２】
近年、カメラ業界におけるアナログ技術からデジタル技術への移行には目覚しいものがある。特にフィルムも現像も不要なデジタルスチルカメラの生産は活況を呈し、携帯電話もカメラ搭載型が主流を占めている。
【０００３】
デジタルカメラ用としては、色再現性重視の観点から、原色フィルタ搭載センサーと、これに対応した信号処理が主に採用されている。また、解像度が高く、かつ色のＳ／Ｎの優れたデジタル信号処理方式の提案が必要になってきている。
【０００４】
図１１は、従来の輝度信号処理回路の構成の例を示すブロック図である。図１１の輝度信号処理回路は、前処理部２２と、ライン信号出力部２４と、色キャリア除去用ローパスフィルタ９２６と、輪郭強調補正部２８とを備えている。図１２は、ＲＧＢベイヤー配列のカラーフィルタを有するイメージセンサーの出力信号の周波数成分を示すグラフである。
【０００５】
前処理部２２には、ベイヤー配列のカラーフィルタを有するイメージセンサーからのセンサー信号ＳＳが入力されている。前処理部２２は、センサー出力ＳＳに対して黒レベル補正、ガンマ補正、ゲイン補正等の前処理を行う。ライン信号出力部２４は、メモリを用いて、前処理部２２の出力を、水平方向の複数のライン信号に変換して出力する。これらのライン信号は、ベイヤー配列情報を保っている。
【０００６】
色キャリア除去用ローパスフィルタ９２６は、これらのライン信号から、色キャリアを含むナイキスト周波数近傍の成分を除去し、出力する。輪郭強調補正部２８は、色キャリア成分除去後の信号から高域成分を抽出し、この信号に加算することによって、輪郭強調を行う。
【０００７】
このように、図１１の回路では、最初にローパスフィルタ処理を行って高域の色キャリア成分を除去することによって、輝度信号の主信号を生成している。また、輝度信号生成後にノイズリダクションを行うようにした撮像装置が特許文献１に開示されている。
【特許文献１】特開２００１−１８９９４４号公報
【発明の開示】
【発明が解決しようとする課題】
【０００８】
しかしながら、上記のような輝度信号処理回路では、フレーム単位で処理が行われ、色キャリア除去用のローパスフィルタ特性を画像のすべての領域に対して均一としていた。このため、輝度信号の帯域を拡げると、画像における色の境界のうち、色の変化が激しい境界での残留色キャリア成分から偽の輪郭信号が発生し、輪郭強調できないという問題があった。また、低照度部分や、無彩色部分、更にはその他の領域において、Ｓ／Ｎ劣化が目立ったり、色境界で偽信号が発生するという問題もあった。
【０００９】
本発明は、ベイヤー配列のカラーフィルタを有するイメージセンサーの出力から、高解像度の画像が得られる輝度信号を求めることを目的とする。
【課題を解決するための手段】
【００１０】
前記課題を解決するため、本発明が講じた手段は、輝度信号処理回路として、デジタル化された映像信号に対して前処理を行って出力する前処理部と、前記前処理部の出力を、それぞれが画像の各ラインの信号である複数のライン信号に分離して出力するライン信号出力部と、前記複数のライン信号から特性値を検出し、前記特性値に応じた係数を求める特性値検出部と、前記複数のライン信号に色キャリアを除去するためのフィルタ処理を行ってフィルタ処理後の信号を求め、前記フィルタ処理後の信号と前記複数のライン信号のいずれかとを、前記求められた係数に応じた割合で加算し、出力する色キャリア除去フィルタと、前記色キャリア除去フィルタの出力に輪郭強調補正を行って出力する輪郭強調部とを備えるものである。
【００１１】
これによると、フィルタ出力に最適なゲイン係数を乗じ、フィルタ処理が行われないセンサー信号をフィルタ出力に加えるので、高解像度の画像が得られる高品質な輝度信号を得ることができる。
【発明の効果】
【００１２】
本発明によれば、ベイヤー配列のカラーフィルタを有するイメージセンサーから出力され、色キャリア成分を含んだセンサー信号から、色キャリア成分を除去して輝度信号を生成する場合に、ナイキスト周波数近傍までの周波数成分を含み、高解像度の画像が得られる高品質な輝度信号を得ることができる。また、画面内で領域の特性に応じて最適な帯域を有する輝度信号を出力することができ、Ｓ／Ｎ比を向上させることができる。
【発明を実施するための最良の形態】
【００１３】
以下、本発明の実施の形態について、図面を参照しながら説明する。
【００１４】
図１は、本発明の実施形態に係る輝度信号処理回路を有するデジタルカメラの構成を示すブロック図である。図１のデジタルカメラは、イメージセンサー１と、タイミングジェネレータ２と、ＣＤＳ（correlated double sampling circuit）／ＡＧＣ（automatic gain control）回路３と、Ａ／Ｄ（Analog to Digital）変換器４と、ＤＳＰ（digital signal processor）５と、メモリ６と、ＣＰＵ７とを備えている。
【００１５】
まず、レンズを通った光がイメージセンサー１に入射する。イメージセンサー１は、そのフォトダイオードによって入射光を電気信号に変換する。タイミングジェネレータ２は、駆動タイミングパルスを発生してイメージセンサー１に出力する。イメージセンサー１は、駆動タイミングパルスに従って、垂直駆動及び水平駆動を行い、映像信号をアナログ連続信号として出力する。
【００１６】
ＣＤＳ／ＡＧＣ回路３は、イメージセンサーから出力された信号に、１／ｆノイズを効果的に低減する処理を行い、その後、ゲインコントロールを行って、Ａ／Ｄ変換器４に出力する。Ａ／Ｄ変換器４は、ＣＤＳ／ＡＧＣ回路３の出力をデジタル信号に変換してＤＳＰ５に出力する。
【００１７】
ＤＳＰ５は、デジタル信号処理集積回路を構成し、輝度信号処理回路を有している。ＤＳＰ５は、メモリ６を用いて、デジタル化された映像信号に対して輝度処理、色分離、カラーマトリクス処理等の各種処理を行い、その結果を出力する。ＣＰＵ７は、タイミングジェネレータ２及びＤＳＰ５を制御している。
【００１８】
図２は、図１のイメージセンサー１のカラーフィルタを示す説明図である。イメージセンサー１は、図２のようなＲＧＢベイヤー配列のカラーフィルタを有している。図３は、本発明の実施形態に係る輝度信号処理回路の構成を示すブロック図である。図３の輝度信号処理回路は、前処理部２２と、ライン信号出力部２４と、色キャリア除去フィルタ２６と、輪郭強調補正部２８と、特性検出部としての色レベル検出部３２とを備えている。
【００１９】
前処理部２２には、ベイヤー配列のカラーフィルタを有するイメージセンサーの出力信号がデジタル化された映像信号（センサー信号）ＳＳが、Ａ／Ｄ変換器４から入力されている。前処理部２２は、センサー信号ＳＳに対して黒レベル補正、ガンマ補正、ゲイン補正等の前処理を行い、その結果を出力する。ライン信号出力部２４は、メモリを用いて、前処理部２２の出力を、それぞれが画像の水平方向の１ラインを示す複数のライン信号に変換して出力する。
【００２０】
色レベル検出部３２は、これらのライン信号から、特性値として色レベルを検出し、色レベルに応じた係数を求める。色キャリア除去フィルタ２６は、色レベル検出部３２で求められた係数に従って、ライン信号出力部２４から出力されたライン信号から、色キャリアを含むナイキスト周波数近傍の成分を除去し、出力する。輪郭強調補正部２８は、色キャリア成分除去後の信号から高域成分を抽出し、この信号に加算することによって、輪郭強調を行う。輪郭強調補正部２８は、得られた輝度信号ＹＹを出力する。
【００２１】
図４は、図３の色キャリア除去フィルタ２６の構成例を示すブロック図である。色キャリア除去フィルタ２６は、垂直方向にフィルタ処理を行うフィルタであって、乗算器４１，４３，４７と、加算器４２，４４と、直流成分調整器４６とを備えている。
【００２２】
乗算器４１には、ライン信号出力部２４から出力された複数のライン信号が入力されている。乗算器４１は、各ライン信号に、対応するラインフィルタ係数（例えば、Ａ，Ｂ，Ｃ）を乗じる。加算器４２は、得られた乗算結果の和を求める。乗算器４１と加算器４２とは、色キャリアを除去するための垂直方向のフィルタ処理を行う垂直フィルタを構成している。乗算器４３は、加算器４２による加算結果にゲイン係数αを乗じる。ゲイン係数αは、色レベル検出部３２で求められた係数に応じた値であって、例えば、この係数そのものの値である。
【００２３】
一方、直流成分調整器４６は、乗算器４１に入力される複数のライン信号のうちの１つに対して、その直流成分を調整し、出力する。この際、直流成分調整器４６は、入力されたライン信号と加算器４２の出力との間で、ダイナミックレンジが同じになるように調整する。
【００２４】
乗算器４７は、直流成分調整器４６の出力にゲイン係数１−αを乗じる。加算器４４は、乗算器４３の乗算結果と乗算器４７の乗算結果とを加算して出力する。乗算器４３で乗じられるゲイン係数αと、乗算器４７で乗じられるゲイン係数１−αとの和は、１になっている。
【００２５】
図５は、図３の輝度信号処理回路の変形例の構成を示すブロック図である。図５の輝度信号処理回路は、図３の輝度信号処理回路において、色キャリア除去フィルタ２６及び色レベル検出部３２に代えて、色キャリア除去フィルタ２２６と、輝度信号水平高域レベル検出部３４と、輝度信号垂直高域レベル検出部３６とを備えている。輝度信号水平高域レベル検出部３４及び輝度信号垂直高域レベル検出部３６は、特性検出部を構成している。
【００２６】
輝度信号水平高域レベル検出部３４及び輝度信号垂直高域レベル検出部３６は、ライン信号出力部２４から出力された複数のライン信号から、水平方向及び垂直方向の高域レベルをそれぞれ検出し、検出された垂直方向及び水平方向の高域レベルに応じた値を係数として求める。色キャリア除去フィルタ２２６は、色キャリア除去フィルタ２６とほぼ同様に構成されており、求められた係数に応じた値をゲイン係数αとして用いる。
【００２７】
図６は、図３の輝度信号処理回路の他の変形例の構成を示すブロック図である。図６の輝度信号処理回路は、図３の輝度信号処理回路において、色キャリア除去フィルタ２６に代えて色キャリア除去フィルタ３２６を備え、輝度信号水平高域レベル検出部３４と、輝度信号垂直高域レベル検出部３６とを更に備えるようにしたものである。色レベル検出部３２、輝度信号水平高域レベル検出部３４及び輝度信号垂直高域レベル検出部３６は、特性検出部を構成している。色レベル検出部３２、輝度信号水平高域レベル検出部３４及び輝度信号垂直高域レベル検出部３６は、ライン信号出力部２４から出力された複数のライン信号から、色レベル、並びに水平方向及び垂直方向の高域レベルをそれぞれ検出し、検出された色レベル、並びに垂直方向及び水平方向の高域レベルに応じた値を係数として求める。
【００２８】
色キャリア除去フィルタ３２６は、複数のライン信号に色キャリアを除去するための垂直方向の処理を行う垂直処理部６０と、垂直処理部６０による処理の結果に対して、色キャリアを除去するための水平方向の処理を行う水平処理部８０とを備えている。図７は、図６の色キャリア除去フィルタ３２６の垂直処理部６０の構成を示すブロック図である。図８は、図６の色キャリア除去フィルタ３２６の水平処理部８０の構成を示すブロック図である。
【００２９】
垂直処理部６０は、垂直方向高域レベル補正フィルタ５０と、直流成分調整器６２と、乗算器６３，６４と、加算器６６とを備えている。垂直方向高域レベル補正フィルタ５０は、広帯域垂直フィルタ５１と、高域制限垂直フィルタ５２と、乗算器５３，５４と、加算器５６とを備えている。
【００３０】
図９は、図７の広帯域垂直フィルタ５１及び高域制限垂直フィルタ５２の周波数特性を示すグラフである。広帯域垂直フィルタ５１及び高域制限垂直フィルタ５２は、ライン信号出力部２４から出力された複数のライン信号に対して、色キャリアを除去するための垂直方向のフィルタ処理を行う。広帯域垂直フィルタ５１は、その周波数特性（図９の細線）からわかるように、通過帯域幅が広い。一方、高域制限垂直フィルタ５２は、その周波数特性（図９の太線）からわかるように、通過帯域幅が狭く、高域を制限してフィルタ処理を行う。
【００３１】
乗算器５３は、広帯域垂直フィルタ５１の出力にゲイン係数αを乗じる。乗算器５４は、高域制限垂直フィルタ５２の出力にゲイン係数１−αを乗じる。加算器５６は、乗算器５３の乗算結果と乗算器５４の乗算結果とを加算して出力する。
【００３２】
乗算器６３は、加算器５６の加算結果にゲイン係数βを乗じる。直流成分調整器６２は、広帯域垂直フィルタ５１に入力される複数のライン信号のうちの１つに対して、その直流成分を調整し、出力する。この際、直流成分調整器６２は、入力されたライン信号と加算器５６の出力との間で、ダイナミックレンジが同じになるように調整する。乗算器６４は、直流成分調整器６２の出力にゲイン係数１−βを乗じる。加算器６６は、乗算器６３の乗算結果と乗算器６４の乗算結果とを加算して、その結果を垂直処理結果Ｙ＿Ｖ＿ｍａｉｎとして出力する。ゲイン係数α，βは、色レベル検出部３２、輝度信号水平高域レベル検出部３４及び輝度信号垂直高域レベル検出部３６で求められた係数に応じた値である。
【００３３】
水平処理部８０は、水平方向高域レベル補正フィルタ７０と、直流成分調整器８２と、乗算器８３，８４と、加算器８６とを備えている。水平方向高域レベル補正フィルタ７０は、広帯域水平フィルタ７１と、高域制限水平フィルタ７２と、乗算器７３，７４と、加算器７６とを備えている。
【００３４】
広帯域水平フィルタ７１及び高域制限水平フィルタ７２は、垂直処理結果Ｙ＿Ｖ＿ｍａｉｎに対して、色キャリアを除去するための水平方向のフィルタ処理を行う。広帯域水平フィルタ７１は、通過帯域幅が広い。一方、高域制限水平フィルタ７２は、通過帯域幅が狭く、高域を制限してフィルタ処理を行う。
【００３５】
乗算器７３は、広帯域水平フィルタ７１の出力にゲイン係数αを乗じる。乗算器７４は、高域制限水平フィルタ７２の出力にゲイン係数１−αを乗じる。加算器７６は、乗算器７３の乗算結果と乗算器７４の乗算結果とを加算して出力する。
【００３６】
乗算器８３は、加算器７６の加算結果にゲイン係数γを乗じる。直流成分調整器８２は、垂直処理結果Ｙ＿Ｖ＿ｍａｉｎに対して、その直流成分を調整し、出力する。この際、直流成分調整器８２は、垂直処理結果Ｙ＿Ｖ＿ｍａｉｎと加算器７６の出力との間で、ダイナミックレンジが同じになるように調整する。乗算器８４は、直流成分調整器８２の出力にゲイン係数１−γを乗じる。加算器８６は、乗算器８３の乗算結果と乗算器８４の乗算結果とを加算して、その結果を輝度信号Ｙ＿ｍａｉｎとして出力する。
【００３７】
図１０は、ゲイン係数γを求めるための回路を示すブロック図である。図１０の回路は、色レベル検出部３２、輝度信号水平高域レベル検出部３４及び輝度信号垂直高域レベル検出部３６に、絶対値部９１，９２と、無彩色での水平・垂直高周波情報適応係数発生部９４とを更に備えている。
【００３８】
絶対値部９１は、輝度信号水平高域レベル検出部３４の出力の絶対値を求め、出力する。絶対値部９２は、輝度信号垂直高域レベル検出部３６の出力の絶対値を求め、出力する。色レベル検出部３２は、映像信号が無彩色であるか否かを検出する。係数発生部９４は、絶対値部９１，９２の出力に基づいてゲイン係数γを求める。色レベル検出部３２の検出結果に応じて、係数発生部９４は、ゲイン係数γを変更する。
【００３９】
このように、図６の輝度信号処理回路によると、水平方向及び垂直方向に独立に広帯域フィルタ及び高域制限フィルタを用い、フィルタ処理が行われないセンサー信号をフィルタ処理後の信号に加えるので、最適な帯域を有する輝度信号を出力することができ、Ｓ／Ｎ比を向上させることもできる。
【００４０】
なお、以上の各輝度信号処理回路において、ゲイン係数α，β，γを、画素毎に求めるようにしてもよいし、１フレームより小さい領域の複数の画素毎に求めるようにしてもよい。１画素毎、又は１フレームより小さい領域の複数の画素毎に、ゲイン係数を求めるので、ナイキスト周波数近傍までの高い周波数の信号を有する輝度信号を求めることができる。
【００４１】
以上のように、本実施形態に係る輝度信号処理回路によると、フィルタ出力に最適なゲイン係数を乗じ、フィルタ処理が行われないセンサー信号をフィルタ出力に加えるので、高解像度の画像が得られる高品質な輝度信号を得ることができる。
【００４２】
なお、本実施形態ではフィルタのタップ数が９である場合について説明したが、他の数であってもよい。
【００４３】
また、広帯域フィルタと、高域制限フィルタとを用いる場合について説明したが、より多くの互いに異なる特性を有するフィルタを用いるようにしてもよい。
【産業上の利用可能性】
【００４４】
以上説明したように、本発明は、高解像度の画像が得られる輝度信号を得ることができるので、輝度信号処理回路、デジタル信号処理集積回路、及びデジタルカメラ等について有用である。
【図面の簡単な説明】
【００４５】
【図１】本発明の実施形態に係る輝度信号処理回路を有するデジタルカメラの構成を示すブロック図である。
【図２】図１のイメージセンサーのカラーフィルタを示す説明図である。
【図３】本発明の実施形態に係る輝度信号処理回路の構成を示すブロック図である。
【図４】図３の色キャリア除去フィルタの構成例を示すブロック図である。
【図５】図３の輝度信号処理回路の変形例の構成を示すブロック図である。
【図６】図３の輝度信号処理回路の他の変形例の構成を示すブロック図である。
【図７】図６の色キャリア除去フィルタの垂直処理部の構成を示すブロック図である。
【図８】図６の色キャリア除去フィルタの水平処理部の構成を示すブロック図である。
【図９】図７の広帯域垂直フィルタ及び高域制限垂直フィルタの周波数特性を示すグラフである。
【図１０】ゲイン係数γを求めるための回路を示すブロック図である。
【図１１】従来の輝度信号処理回路の構成の例を示すブロック図である。
【図１２】ＲＧＢベイヤー配列のカラーフィルタを有するイメージセンサーの出力信号の周波数成分を示すグラフである。
【符号の説明】
【００４６】
１  イメージセンサー
４  Ａ／Ｄ変換器
５  ＤＳＰ（デジタル信号処理集積回路）
２２  前処理部
２４  ライン信号出力部
２６，２２６，３２６  色キャリア除去フィルタ
２８  輪郭強調補正部
３２  色レベル検出部
３４  輝度信号水平高域レベル検出部
３６  輝度信号垂直高域レベル検出部
４３，４７，５３，５４，６３，６４，７３，７４，８３，８４  乗算器
４４，５６，６６，７６，８６  加算器
４６  直流成分調整器
５１  広帯域垂直フィルタ
５２  高域制限垂直フィルタ
６０  垂直処理部
７１  広帯域水平フィルタ
７２  高域制限水平フィルタ
８０  水平処理部
【図１】
2008124882.tif 000003
【図２】
2008124882.tif 000004
【図３】
2008124882.tif 000005
【図４】
2008124882.tif 000006
【図５】
2008124882.tif 000007
【図６】
2008124882.tif 000008
【図７】
2008124882.tif 000009
【図８】
2008124882.tif 000010
【図９】
2008124882.tif 000011
【図１０】
2008124882.tif 000012
【図１１】
2008124882.tif 000013
【図１２】
2008124882.tif 000014